(57)【要約】【課題】移動電話端末を内線電話システムの内線でも使用でき、自席の内線への着信呼を、移動先の移動電話端末が接続された内線電話端末へ自動的に転送できる電話システムを提供する。【解決手段】カールコード４ａを介して内線電話端末２ａとローカル接続された移動電話端末１ａを、別の内線電話端末２ｃのハンドセット１ａ−１として接続変更した場合、または、いずれの内線電話端末２にも接続されていない場合に、主装置６は、その接続状態に応じて、移動電話端末１に対応するホーム内線５ａへの着信呼を、接続変更した内線電話端末２ｃまたは端末ＩＤに対応した移動電話機１ａ−２としての移動電話番号に転送設定する。【選択図】  図１
2010258697.tif 000002
【特許請求の範囲】
【請求項１】
複数の内線または外線を収容する主装置と前記内線に繋がる内線電話端末と前記内線電話端末とローカル接続可能な移動電話端末から構成される内線電話システムであって、
前記移動電話端末は、前記内線電話端末とローカル接続する内線端末接続手段と、自端末に固有の端末ＩＤを記憶する端末ＩＤ記憶手段と、前記内線電話端末との間で音声信号を授受する内線端末音声信号授受手段と、を有し、
前記内線電話端末は、前記移動電話端末とローカル接続する移動端末接続手段と、前記移動電話端末から前記端末ＩＤを読取る端末ＩＤ読取手段と、前記移動電話端末との間で音声信号を授受する移動端末音声信号授受手段と、前記移動電話端末が接続されているか否かを検知する端末接続検知手段と、前記端末接続検知手段により前記移動電話端末が接続されたことを検知した場合に当該移動電話端末から前記端末ＩＤを読取り当該端末ＩＤを前記主装置へ送信する端末ＩＤ送信手段と、を有し、
前記主装置は、内線を介して前記内線電話端末から前記端末ＩＤを受信する端末ＩＤ受信手段と、前記端末ＩＤと内線電話番号の対応関係を登録する対応関係登録手段を有し、前記内線電話端末から前記端末ＩＤを受信した場合に、受信した端末ＩＤと対応付けられた内線電話番号を検索し、前記検索した内線電話番号を着信先とする着信呼を、当該端末ＩＤを受信した内線へ転送することを特徴とする移動電話端末と連携する内線電話システム。
【請求項２】
請求項１に記載の内線電話システムにおいて、
前記内線電話端末は、前記移動電話端末が接続されていないことを検知した場合に前記移動電話端末との接続が解除されたことを前記主装置へ通知する端末接続解除通知手段をさらに有し、
前記主装置が具備する前記対応関係登録手段は、前記端末ＩＤと予め定められた移動電話番号の対応関係を登録する手段をさらに有し、
前記主装置は、前記内線電話端末から前記端末ＩＤを受信した場合に、当該端末ＩＤを記憶しておき、前記内線電話端末から前記移動電話端末との接続が解除されたことを通知された後に、いずれの内線からも当該端末ＩＤを受信しないならば、当該端末ＩＤに対応付けられた移動電話番号を検索し、前記端末ＩＤと対応付けられた内線電話番号を着信先とする着信呼を前記検索した移動電話番号の宛先へ転送することを特徴とする移動電話端末と連携する内線電話システム。
【請求項３】
請求項１または２に記載の内線電話システムにおいて、
前記内線端末接続手段および前記移動端末接続手段は、ハンドセットインタフェースであることを特徴とする移動電話端末と連携する内線電話システム。
【発明の詳細な説明】
【技術分野】
【０００１】
本発明は、固定的に設置された内線電話端末と携帯電話機等の移動電話端末が連携する内線電話システムに関するものである。
【背景技術】
【０００２】
従来の電話システムにおいては、内線電話端末と携帯電話機等の移動電話端末は独立したシステムであって、移動電話端末は移動性に優れるものの無線通信に伴う電波伝搬特性の変動等により通信品質が劣化し易く通話品質に難点があった。
【０００３】
これを改善する技術として、移動電話端末を一般電話回線にモジュラジャックで接続し、一般電話回線経由の通信に切り換える技術がある（特許文献１）。しかしながら、特許文献１に記載された技術では、移動電話端末を一般電話回線に直接接続するだけであり、一般電話回線の電話番号と移動電話端末の電話番号は別の番号であり、一人の利用者が一般電話回線に接続された電話端末と移動電話端末の両方を利用する場合、それらを使い分けることが煩雑であるという欠点があった。
【先行技術文献】
【特許文献】
【０００４】
【特許文献１】特開２００１−１９７５６１号公報
【発明の概要】
【発明が解決しようとする課題】
【０００５】
本発明の課題は、上記欠点を解決するために、移動電話端末を内線電話システムの内線経由でも使用できるようにすると共に、当該移動電話端末が自席の内線に接続されていない場合に、その自席の内線への着信呼を、移動電話端末が接続された移動先の内線へ自動的に転送できる内線電話システムを提供することにある。
【課題を解決するための手段】
【０００６】
上記課題を解決するために、第１の発明は、複数の内線または外線を収容する主装置と前記内線に繋がる内線電話端末と前記内線電話端末とローカル接続可能な移動電話端末から構成される内線電話システムであって、前記移動電話端末は、前記内線電話端末とローカル接続する内線端末接続手段と、自端末に固有の端末ＩＤを記憶する端末ＩＤ記憶手段と、前記内線電話端末との間で音声信号を授受する内線端末音声信号授受手段と、を有し、前記内線電話端末は、前記移動電話端末とローカル接続する移動端末接続手段と、前記移動電話端末から前記端末ＩＤを読取る端末ＩＤ読取手段と、前記移動電話端末との間で音声信号を授受する移動端末音声信号授受手段と、前記移動電話端末が接続されているか否かを検知する端末接続検知手段と、前記端末接続検知手段により前記移動電話端末が接続されたことを検知した場合に当該移動電話端末から前記端末ＩＤを読取り当該端末ＩＤを前記主装置へ送信する端末ＩＤ送信手段と、を有し、前記主装置は、内線を介して前記内線電話端末から前記端末ＩＤを受信する端末ＩＤ受信手段と、前記端末ＩＤと内線電話番号の対応関係を登録する対応関係登録手段を有し、前記内線電話端末から前記端末ＩＤを受信した場合に、受信した端末ＩＤと対応付けられた内線電話番号を検索し、前記検索した内線電話番号を着信先とする着信呼を、当該端末ＩＤを受信した内線へ転送することを特徴とする。
【０００７】
また、第２の発明は、前記第１の発明の内線電話システムにおいて、前記内線電話端末は、前記移動電話端末が接続されていないことを検知した場合に前記移動電話端末との接続が解除されたことを前記主装置へ通知する端末接続解除通知手段をさらに有し、前記主装置が具備する前記対応関係登録手段は、前記端末ＩＤと予め定められた移動電話番号の対応関係を登録する手段をさらに有し、前記主装置は、前記内線電話端末から前記端末ＩＤを受信した場合に、当該端末ＩＤを記憶しておき、前記内線電話端末から前記移動電話端末との接続が解除されたことを通知された後に、いずれの内線からも当該端末ＩＤを受信しないならば、当該端末ＩＤに対応付けられた移動電話番号を検索し、前記端末ＩＤと対応付けられた内線電話番号を着信先とする着信呼を前記検索した移動電話番号の宛先へ転送することを特徴とする。
【０００８】
また、第３の発明は、前記第１の発明または第２の発明の内線電話システムにおいて、前記内線端末接続手段および前記移動端末接続手段は、ハンドセットインタフェースであることを特徴とする。
【発明の効果】
【０００９】
本発明によれば、移動電話端末を内線電話端末を介して当該内線電話端末が接続された内線でも使用できると共に、移動電話端末が自席の内線電話端末に接続されていない場合に、自席の内線電話端末への着信を前記移動電話端末が接続された内線へ自動的に転送できる利点がある。
【００１０】
また、移動電話端末を携帯して外出する等、社内の内線電話端末のいずれにも移動電話端末が接続されていない場合に、自席の内線電話端末への着信を移動電話網経由で移動電話端末へ自動的に転送できる利点がある。
【００１１】
従って、本発明は、自席に固定的に設置された内線電話端末と、移動先に携帯する移動電話端末を使い分ける煩雑さを軽減する効果がある。
【図面の簡単な説明】
【００１２】
【図１】・・・本発明システムの全体構成図
【図２】・・・本発明システムのブロック構成図
【図３】・・・主装置６の動作フローチャート
【図４】・・・移動電話端末１の動作フローチャート
【図５】・・・内線電話端末２の動作フローチャート
【発明を実施するための形態】
【００１３】
以下、本発明の実施形態について、図面を用いて説明する。図１は、本発明システムの全体構成図である。１は移動電話端末であって例えば構内コードレスホン、または通常の携帯電話網に繋がる携帯電話端末である。２は内線電話端末本体であって、通常はカールコード４を介してハンドセット３が繋がっている。５は内線電話端末２と主装置６を繋ぐ内線、６は外線８と内線５を交換接続処理すると共に呼の発着信を制御する主装置、７は構内コードレスホンとしての移動電話端末１を収容し主装置７に繋がる無線基地局、８は外線である。外線８は１回線以上の電話回線またはＩＰ（Ｉｎｔｅｒｎｅｔ  Ｐｒｏｔｏｃｏｌ）回線である。
【００１４】
図１において、移動電話端末１は無線基地局７に帰属して構内コードレスホンとして動作すると共に、内線電話端末２とローカル接続して内線５を介した通話も可能である。ここでは、移動電話端末１と内線電話端末２とのローカル接続はハンドセットインタフェースであって、カールコード４を介して接続している。なお、ローカル接続手段としては、ハンドセットインタフェースではなく、汎用的な近距離無線通信技術や独自の専用接続インタフェースで移動電話端末１と内線電話端末２を接続してもよい。
【００１５】
図１において、内線５ａに繋がる内線電話端末２ａと移動電話端末１ａは通常はカールコード４ａで接続される組合せとし、同一の利用者が自席にて使用する。すなわち、自席においては、利用者はこの移動電話端末１ａを内線電話端末２ａのハンドセット（送受話器）として使用する。その際、移動電話端末１ａは無線基地局７に帰属していて、構内コードレスホンとしての機能が起動していてもよい。なお、この内線５ａを移動電話端末１ａに対するホーム内線と称す。
【００１６】
図１の例では、内線電話端末２ｂには通常のハンドセット３ｂが接続されている。そして、内線電話端末２ｃには、通常のハンドセット３ｃ（図示せず）が外され、ホーム内線５ａに接続された内線電話端末２ａにハンドセットとして接続されていた移動電話端末１ａが移動電話端末１ａ−１として接続されている。これは、移動電話端末１ａ（破線で示す）を自席の内線電話端末２ａから外して携帯して移動し、内線電話端末２ｃに移動電話端末１ａを挿したケースである。同様に、移動電話端末１ａ−２は、移動電話端末１ａを自席の内線電話端末２ａから外して携帯して移動し、いずれの内線電話端末２にも移動電話端末１ａを挿さないケースである。なお、移動電話端末１ａ，１ａ−１，１ａ−２は同じ移動電話端末１であって、接続状態の違いにより便宜上記号を分けている。
【００１７】
後述するが、移動電話端末１には、固有の端末ＩＤ（Ｉｄｅｎｔｉｆｉｃａｔｉｏｎ）が登録されていて、主装置６は、移動電話端末１ａがホーム内線５ａの内線電話端末２ａに接続されているか、ホーム内線以外の内線電話端末２に接続されているか、または、いずれの内線電話端末２にも接続されていないか、を管理しており、その接続状態に応じて、ホーム内線への着信を、移動電話端末１で通話できるように転送制御する。
【００１８】
従って、移動電話端末１ａの利用者は、自席においてはホーム内線に繋がる内線電話端末２ａのハンドセットとして移動電話端末１ａを利用し、別の場所の内線電話端末２ｃに携帯して持参した移動電話端末１ａ−１を繋げば、自席（ホーム内線）に掛かってきた電話着信呼が内線電話端末２ｃに転送される。また、いずれの内線電話端末２にも接続しない状態では、無線基地局７を介して構内コードレスとしての移動電話端末１ａ−２に対応する予め定められた移動電話番号に自席に掛かってきた電話着信呼が転送される。なお、移動電話端末１ａが通常の携帯電話端末であった場合、無線基地局７経由ではなく、移動電話網（図示せず）経由で前記着信呼を転送すればよい。
【００１９】
図２は本発明システムを構成する、移動電話端末１と内線電話端末２と主装置６の内部ブロック構成図である。移動電話端末１の内部ブロックにおいて、１１は無線基地局７と無線通信する無線通信部、１２は無線通信部１１と内線電話接続モジュラジャック（ＭＪ）１３とマイク１８とスピーカ１９の間で音声信号を授受し変換処理する通話回路部、１３はカールコード４と繋がる内線電話接続モジュラジャック、１４は本端末を制御する無線電話端末制御部、１５は内線電話接続モジュラジャック１３に入力する電気信号を監視してカールコード４を介して内線電話端末２と接続されているか否かを検知する内線電話接続検知部、１６は固有の端末ＩＤを登録する端末ＩＤ登録部、１７はテンキーやＬＣＤ等から成る操作表示部、１８は送話音声を通話回路部１２へ入力するマイク、１９は通話回路部１２からの音声信号を再生するスピーカである。
【００２０】
内線電話端末２の内部ブロックにおいて、２１は内線５に繋がる内線対応部、２２は通話回路部、２３はカールコード４と繋がるハンドセット接続モジュラジャック、２４は内線電話端末制御部、２５はハンドセット接続モジュラジャック２３に入力する電気信号を監視してカールコード４を介して移動電話端末１が接続されているか否かを検知する移動電話接続検知部、２６は移動電話端末からの端末ＩＤを読み取る端末ＩＤ読取部、２７はテンキーやＬＣＤ等から成る操作表示部、２８は送話音声を通話回路部２２へ入力するハンズフリーマイク、２９は通話回路部２２からの音声信号を再生する拡声スピーカである。
【００２１】
ハンズフリーマイク２８と、拡声スピーカ２９はハンズフリー通話するためのものであるが、移動電話接続検知部２５が移動電話端末１またはハンドセット３の接続を検知しない場合に、自動的にハンズフリー通話モードを起動するようにしてもよい。
【００２２】
主装置６の内部ブロックにおいて、６１は外線８と繋がる外線対応部、６２は複数の外線と内線を交換接続処理する交換処理部、６３は内線５と繋がる内線対応部、６４は電話の発着信や転送処理を制御する呼制御部、６５は内線５から受信した端末ＩＤを受信した内線と関連付けて記憶しておく端末ＩＤ記憶部、６６は端末ＩＤと電話番号の対応関係を登録する端末ＩＤ対応電話番号登録部である。
【００２３】
端末ＩＤ対応電話番号登録部６６には端末ＩＤ毎に、端末ＩＤと関連付けられたホーム内線の内線電話番号と構内コードレスホンまたは携帯電話としての予め定められた移動電話番号が登録されている。
【００２４】
図３は主装置６の動作フローチャートである。本フローは電源が投入された状態でスタートする（Ｓ３０１）。内線５のいずれかの内線Ｙから端末ＩＤｘを受信すると（Ｓ３０２，ＹＥＳ）、呼制御部６４は受信した端末ＩＤｘを端末ＩＤ記憶部６５に記憶し、端末ＩＤｘのホーム内線である内線Ｘを検索し（Ｓ３０４）、内線Ｘへの着信を内線Ｙへ転送するように転送設定しＳ３１０に進む。Ｓ３０２において端末ＩＤｘを受信してなければ（Ｓ３０２，ＮＯ）、Ｓ３１０に進む。
【００２５】
その後、内線Ｙから接続解除通知を受信していなければ（Ｓ３１０，ＮＯ）、Ｓ３０２に戻る。内線Ｙから接続解除通知を受信していた場合（Ｓ３１０，ＹＥＳ）、内線Ｙ以外の他の内線５から端末ＩＤｘを受信していないかを判定し（Ｓ３２０）、ＹＥＳであれば、移動電話端末１の接続先が他の内線へ変更になったのであって、他の内線に対応するＳ３０３〜Ｓ３０５の処理が実行されていることになる。この場合、呼制御部６４は、この内線Ｙに対してＳ３０５で設定された内線Ｘへの着信の内線Ｙへの転送設定を解除し（Ｓ３３０）、Ｓ３１０でＹＥＳと判定した接続解除通知の受信済みフラグをリセットして（Ｓ３３１）、Ｓ３０２に戻る。
【００２６】
Ｓ３２０で、ＮＯであれば、移動電話端末１はいずれの内線電話端末２にも接続されていない状態である。この場合、呼制御部６４は、内線Ｘに対応する移動電話番号Ｚを検索し（Ｓ３２１）、内線Ｘへの着信を移動電話番号Ｚに転送するように転送設定し（Ｓ３２２）、Ｓ３３０へ進む。
【００２７】
図４は移動電話端末１の動作フローチャートである。本フローは電源が投入された状態でスタートする（Ｓ４０１）。内線電話接続モジュラジャック１３にカールコード４を介して内線電話端末２が接続された状態であることを内線電話接続検知部１５が検知すると（Ｓ４１０，ＹＥＳ）、無線電話端末制御部１４は内線電話接続モジュラジャック１３との間で音声信号を授受するように通話回路部１２を制御して音声信号の伝達方路を設定し（Ｓ４１１）、Ｓ４２０に進む。
【００２８】
内線電話接続モジュラジャック１３にカールコード４を介して内線電話端末２が接続された状態でない場合（Ｓ４１０，ＮＯ）、無線電話端末制御部１４は無線通信部１２との間で音声データを授受するように通話回路部１２を制御して音声信号の伝達方路を設定し（Ｓ４１２）、Ｓ４１０に戻る。
【００２９】
内線電話端末２から端末ＩＤの通知要求を受信すると（Ｓ４２０，ＹＥＳ）、無線電話端末制御部１４は端末ＩＤ登録部１６に登録されている端末ＩＤｘを、通話回路部１２、内線電話接続モジュラジャック１３、カールコード４を介して内線電話端末２へ送信して（Ｓ４２１）、Ｓ４１０に戻る。内線電話端末２から端末ＩＤの通知要求を受信しない場合は（Ｓ４２０，ＮＯ）、Ｓ４１０に戻る。
【００３０】
図５は内線電話端末２の動作フローチャートである。本フローは電源が投入された状態でスタートする（Ｓ５０１）。移動電話接続検知部２５により、移動電話端末１が接続されたことを検知すると（Ｓ５１０，ＹＥＳ）、内線電話端末制御部２４は移動電話端末１へ端末ＩＤを要求し（Ｓ５１１）、端末ＩＤ読取部２６が移動電話端末１から端末ＩＤｘを受信し（Ｓ５１２）、主装置６へ受信した端末ＩＤｘを送信する（Ｓ５１３）。
【００３１】
その後、移動電話接続検知部２５により、移動電話端末１との接続が解除されたことを検知すると（Ｓ５２０，ＹＥＳ）、内線電話端末制御部２４は主装置６へ接続解除通知を送信して（Ｓ５２１）、Ｓ５１０に戻る。検知しない場合は（Ｓ５２０，ＮＯ）、Ｓ５１０に戻る。
【００３２】
以上、本発明の内線電話システムの実施例について説明した。実施例において、移動電話端末１と内線電話端末２とのローカル接続手段として、カールコード４を介して汎用的なハンドセットインタフェースを適用しているので、移動電話端末１を内線電話端末２に繋ぐ際、ハンドセット側モジュラジャックから伸縮可能なカールコードを抜いて、その抜いたカールコードを移動電話端末１のモジュラジャックに挿入するだけなので、挿抜が簡便で操作性が良い。
【００３３】
汎用的なハンドセットインタフェースでは基本的に音声信号を授受するのみだが、本発明における端末ＩＤの要求コマンドや端末ＩＤの通知データ等のデータ授受は、例えばデータをＤＴＭＦ（Ｄｕａｌ−Ｔｏｎｅ  Ｍｕｌｔｉ−Ｆｒｅｑｕｅｎｃｙ）信号に変換して授受すれば問題ない。
【００３４】
なお、本発明における移動電話端末１と内線電話端末２とのローカル接続手段としては、ハンドセットインタフェースに限定するものではない。例えば、本システムに独自の専用接続インタフェースで移動電話端末１と内線電話端末２を接続してもよい。
【００３５】
さらに、移動電話端末１と内線電話端末２とのローカル接続手段としては、各種の近距離無線通信技術を適用した無線接続であってもよい。
【符号の説明】
【００３６】
１・・・移動電話端末
２・・・内線電話端末
３・・・ハンドセット
４・・・カールコード
５・・・内線
６・・・主装置
７・・・無線基地局
８・・・外線
１１・・・無線通信部
１２・・・通話回路部
１３・・・内線電話接続モジュラジャック
１４・・・無線電話端末制御部
１５・・・内線電話接続検知部
１６・・・端末ＩＤ登録部
１７・・・操作表示部
１８・・・マイク
１９・・・スピーカ
２１・・・内線対応部
２２・・・通話回路部
２３・・・ハンドセット接続モジュラジャック
２４・・・内線電話端末制御部
２５・・・移動電話接続検知部
２６・・・端末ＩＤ読取部
２７・・・操作表示部
２８・・・ハンズフリーマイク
２９・・・拡声スピーカ
６１・・・外線対応部
６２・・・交換処理部
６３・・・内線対応部
６４・・・呼制御部
６５・・・端末ＩＤ記憶部
６６・・・端末ＩＤ対応電話番号登録部
【図１】
2010258697.tif 000003
【図２】
2010258697.tif 000004
【図３】
2010258697.tif 000005
【図４】
2010258697.tif 000006
【図５】
2010258697.tif 000007